【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
被写体に放射線を照射することにより撮影された放射線画像を取得する画像取得手段と、
第１の仮想グリッド特性を取得する特性取得手段と、
前記第１の仮想グリッド特性および撮影条件を用いて、前記撮影時に前記被写体を透過した放射線に含まれる散乱成分を前記放射線画像から除去する散乱線除去処理を行う散乱線除去手段と、
前記散乱線除去処理が行われた放射線画像に対する修正指示に応じて、前記散乱成分の除去の度合いを修正するために前記撮影条件を変更する修正情報取得手段とを備え、
前記特性取得手段は、前記変更された撮影条件から第２の仮想グリッド特性を取得する手段であり、
前記散乱線除去手段は、前記第２の仮想グリッド特性および前記変更された撮影条件に基づいて、前記放射線画像に対してさらなる前記散乱線除去処理を行う手段であることを特徴とする放射線画像処理装置。
【請求項２】
前記特性取得手段は、撮影手技に応じた前記撮影条件を取得し、該撮影条件から前記第１の仮想グリッド特性を取得する手段であり、
前記散乱線除去処理が行われた放射線画像を表示する表示手段をさらに備え、
前記修正情報取得手段は、前記表示された放射線画像に基づいて入力された前記修正指示に応じて、前記撮影条件を変更して前記変更された撮影条件を取得する手段であることを特徴とする請求項１記載の放射線画像処理装置。
【請求項３】
前記修正情報取得手段は、前記修正指示に応じて、前記散乱成分の除去の度合いを修正するための修正情報を取得し、該修正情報に基づいて前記撮影条件を変更する手段であることを特徴とする請求項１記載の放射線画像処理装置。
【請求項４】
前記修正情報は、前記被写体の体型に関する情報であることを特徴とする請求項３記載の放射線画像処理装置。
【請求項５】
前記放射線画像および前記撮影条件に基づいて、前記被写体の体厚分布を推定する体厚分布推定手段をさらに備え、
前記修正情報取得手段は、前記修正指示に応じて、前記体厚分布の情報を前記修正情報として取得し、該修正情報に基づいて前記撮影条件を変更する手段であり、
前記体厚分布推定手段は、前記変更された撮影条件に基づいて、前記体厚分布をさらに推定する手段であることを特徴とする請求項３項記載の放射線画像処理装置。
【請求項６】
前記散乱線除去処理手段は、前記第２の仮想グリッド特性、前記変更された撮影条件および前記さらに推定された体厚分布に基づいて、前記さらなる散乱線除去処理を行う手段であることを特徴とする請求項５記載の放射線画像処理装置。
【請求項７】
前記修正情報取得手段は、前記体厚分布に基づいて、前記被写体の体型に関する情報を取得し、前記体型に関する情報を表示して前記修正情報の入力を受け付けることにより該修正情報を取得する手段であることを特徴とする請求項５または６記載の放射線画像処理装置。
【請求項８】
前記修正情報取得手段は、前記放射線画像から、インプラントの領域を検出し、前記放射線画像における前記インプラント領域以外の領域における前記体厚分布に基づいて前記体型に関する情報を取得する手段であることを特徴とする請求項７記載の放射線画像処理装置。
【請求項９】
前記体厚分布推定手段は、所定の体厚分布を有する前記被写体の仮想モデルを取得する仮想モデル取得手段と、
前記仮想モデルの放射線撮影により得られる一次線画像を前記仮想モデルから推定した推定一次線画像と前記仮想モデルの放射線撮影により得られる散乱線画像を前記仮想モデルから推定した推定散乱線画像とを合成した画像を、前記被写体の放射線撮影により得られる放射線画像を推定した画像である推定画像として生成する推定画像生成手段と、
前記推定画像と前記放射線画像の違いが小さくなるように前記仮想モデルの前記体厚分布を修正する修正手段と、
前記修正された前記仮想モデルの前記体厚分布を前記被写体の体厚分布として決定する体厚分布決定手段とを備えたことを特徴とする請求項５から８のいずれか１項記載の放射線画像解析装置。
【請求項１０】
前記第１および第２の仮想グリッド特性は、一次線透過率および散乱線透過率であることを特徴とする請求項１から９のいずれか１項記載の放射線画像処理装置。
【請求項１１】
前記前記散乱線除去手段は、前記放射線画像における散乱線含有率分布をさらに用いて、前記散乱線除去処理を行う手段であることを特徴とする請求項１から１０のいずれか１項記載の放射線画像処理装置。
【請求項１２】
被写体に放射線を照射することにより撮影された放射線画像を取得し、
第１の仮想グリッド特性を取得し、
前記第１の仮想グリッド特性および撮影条件を用いて、前記撮影時に前記被写体を透過した放射線に含まれる散乱成分を前記放射線画像から除去する散乱線除去処理を行い、
前記散乱線除去処理が行われた放射線画像に対する修正指示に応じて、前記散乱成分の除去の度合いを修正するために前記撮影条件を変更し、
前記変更された撮影条件に基づいて第２の仮想グリッド特性を取得し、
前記第２の仮想グリッド特性および前記変更された撮影条件に基づいて、前記放射線画像に対してさらなる前記散乱線除去処理を行うことを特徴とする放射線画像処理方法。
【請求項１３】
被写体に放射線を照射することにより撮影された放射線画像を取得する手順と、
第１の仮想グリッド特性を取得する手順と、
前記第１の仮想グリッド特性および撮影条件を用いて、前記撮影時に前記被写体を透過した放射線に含まれる散乱成分を前記放射線画像から除去する散乱線除去処理を行う手順と、
前記散乱線除去処理が行われた放射線画像に対する修正指示に応じて、前記散乱成分の除去の度合いを修正するために前記撮影条件を変更する手順と、
前記変更された撮影条件に基づいて第２の仮想グリッド特性を取得する手順と、
前記第２の仮想グリッド特性および前記変更された撮影条件に基づいて、前記放射線画像に対してさらなる前記散乱線除去処理を行う手順とをコンピュータに実行させることを特徴とする放射線画像処理プログラム。
【手続補正２】
【補正対象書類名】明細書
【補正対象項目名】００７９
【補正方法】変更
【補正の内容】
【００７９】
操作者は、修正の必要がない場合には確認完了ボタン５３を選択する。これにより、装置４０は散乱線除去処理を終了する。一方、修正の必要がある場合には、操作者は入力部４を用いてポインタ５７を体型選択領域５２において移動させ、所望とする体型のアイコンを選択した状態で修正ボタン５４を選択する。これにより、修正情報取得部４５は、選択された体型の情報（太め、やや太め、普通、やや細め、細め）を修正情報として取得する。そして、取得した修正情報に基づいて、撮影手技に応じた撮影条件を変更し、変更した撮影条件を特性取得部４２、散乱線情報取得部４３および散乱線除去部４４に出力する。
【手続補正３】
【補正対象書類名】明細書
【補正対象項目名】００９９
【補正方法】変更
【補正の内容】
【００９９】
ここで、（ｘ，ｙ）は放射線画像の画素位置の座標、Ｉｐ（ｘ，ｙ）は画素位置（ｘ，ｙ）における推定一次線画像、Ｉｓ（ｘ，ｙ）は画素位置（ｘ，ｙ）における推定散乱線画像、Ｉｏ（ｘ，ｙ）は画素位置（ｘ，ｙ）における線量、Ｉｍ（ｘ，ｙ）は画素位置（ｘ，ｙ）における推定画像、μは被写体の線減弱係数、Ｋｓ(ｘ，ｙ，Ｔｎ（ｘ’，ｙ’），θｘ’，ｙ’)は画素位置（ｘ，ｙ）における被写体厚に応じた点拡散関数(Point Spread Function)を表す畳みこみカーネルである。なお、線量Ｉｏ（ｘ，ｙ）は、被写体が存在しないと仮定した際に放射線検出器２０により検出される放射線の線量であり、Ｘ線源１６と放射線検出器２０の検出面との距離（ＳＩＤ）、管電圧およびｍＡｓ値に応じて変化する。また、θｘ’，ｙ’は、管電圧等の撮影条件や仮想モデルＫの特性情報によって特定されるパラメータを表している。
【手続補正４】
【補正対象書類名】明細書
【補正対象項目名】０１１８
【補正方法】変更
【補正の内容】
【０１１８】
また、上記第２の実施形態において、推定された体厚分布を確認画面における体型選択のための補助情報として用いてもよい。図１６は確認画面の他の例を示す図である。図１６に示すように、確認画面５０Ａには、画像表示領域５１、体型選択領域５２、確認完了ボタン５３、修正ボタン５４および再撮影ボタン５５に加えて、体厚表示領域５６が表示されている。体厚表示領域には、体厚推定部４７が推定した体厚分布Ｔｋ（ｘ，ｙ）の代表値が表示されている。図１６においては２７ｃｍの値が表示されている。なお、代表値としては、体厚分布Ｔｋ（ｘ，ｙ）の最大値、平均値、大きく外れた値を除外した重み付け平均値、メディアン値および放射線画像の中央位置の体厚等を用いることができる。また、体厚の代表値に代えて、放射線画像の各画素位置と体厚とを対応付けた体厚分布のカラーマップを表示するようにしてもよい。
【手続補正５】
【補正対象書類名】図面
【補正対象項目名】図７
【補正方法】変更
【補正の内容】
【図７】
2015089429.tif 000001